(57)【要約】【課題】害虫防除機能を有したものとすると共に、施肥状態において降雨にあっても肥料の溶出量が多くなることなく、降雨量が多い場合にも肥料が流出してしまうことなく、設置場所にも制限を受けることなく、また植物の葉などに引っ付いてしまうようなことはなく、植物の葉などを傷つけることのない農園芸用資材を提供する。【解決手段】本体１の栽培手段２から露出した部分に害虫防除手段３を設けたものとしている。さらに、前記本体１に、栽培手段２への設置手段４を設けたものとしている。そして、前記本体１は、水、水保持材、肥料、薬剤より選ばれる少なくとも一種を栽培手段２に供給できるようにしたものとしている。【選択図】        図１
2004275010.tif 000002
【特許請求の範囲】
【請求項１】
本体（１）の栽培手段（２）から露出した部分に害虫防除手段（３）を設けたことを特徴とする農園芸用資材。
【請求項２】
前記本体（１）に、栽培手段（２）への設置手段（４）を設けたことを特徴とする請求項１記載の農園芸用資材。
【請求項３】
前記本体（１）が、水、水保持材、肥料、薬剤より選ばれる少なくとも一種を栽培手段（２）に供給できるようにしたものであることを特徴とする請求項１記載の農園芸用資材。
【請求項４】
前記本体（１）が、管状体、筒状体、板状体、ネット状体、シート状体の何れかからなることを特徴とする請求項１記載の農園芸用資材。
【請求項５】
前記肥料が、固形状または液状の肥料であることを特徴とする請求項１記載の農園芸用資材。
【請求項６】
前記薬剤が、土壌殺菌剤、植物成長調整剤、除草剤、根茎調節剤、土壌生物防除剤、誘引剤、殺虫剤、有害生物忌避剤、昆虫成長調整剤より選ばれる少なくとも一種であることを特徴とする請求項１記載の農園芸用資材。
【請求項７】
前記栽培手段（２）が、田畑、庭地、プランター、鉢の何れかであることを特徴とする請求項１記載の農園芸用資材。
【請求項８】
前記害虫防除手段（３）が、粘着捕獲層であることを特徴とする請求項１記載の農園芸用資材。
【請求項９】
前記害虫防除手段（３）が、設置手段（４）を兼用したものであることを特徴とする請求項１記載の農園芸用資材。
【請求項１０】
前記設置手段（４）が、本体（１）の一部を利用したものであることを特徴とする請求項２記載の農園芸用資材。
【請求項１１】
前記設置手段（４）が、本体（１）に設けた差込部（２２）、貼付部（２３）、起立部（２４）、吊り下げ部（２５）、挟み部（２６）の何れかであることを特徴とする請求項２記載の農園芸用資材。
【発明の詳細な説明】
【０００１】
【発明の属する技術分野】
この発明は、屋内外に置いたプランターや鉢、田畑、庭地などで植物を栽培するときに用いる農園芸用資材に関するものである。
【０００２】
【従来の技術】
従来、農園芸用資材として、例えば図１６に示したように、肥料又は廃棄物に圧力をかけて棒状あるいは円板状、キューブ状等に成形した圧密化肥料３１としたものが存在する。この圧密化肥料３１は、保存スペースを削減でき、保存性が良好で取扱いが容易であり、その施肥に際しても、取扱いが容易で施肥面積に対してポイント的に施肥できるという効果を有する（特許文献１参照）。
【０００３】
また、害虫防除材として、例えば図１７に示したように、粘着材が塗布された粘着フィルム４２を複数の段面を持つアコーディオン構成としたり、また粘着フィルム４２の周囲に色彩枠４４を付して粘着トラップ４１としたものが存在する。この粘着トラップ４１は、粘着フィルム４２をアコーディオン構成とすることで占有空間当たりの粘着面を増大すると共に、粘着フィルム４２の周囲に色彩枠４４を付すことで誘引効果を増大させ、飛翔性農業害虫の補殺率を向上させるという効果を有する（特許文献２参照）。
【０００４】
【特許文献１】
特開平６−３０５８７２号公報（第３頁、図１）
【特許文献２】
特開２０００−４７５４号公報（第３頁、図２）
【０００５】
【発明が解決しようとする課題】
しかしながら、上記従来の農園芸用資材では、肥料又は廃棄物に圧力をかけて棒状あるいは円板状、キューブ状等に成形したといっても、肥料の表面は保護部材で覆われてはおらず、施肥状態において降雨にあうと、その表面に直接雨が当たり、肥料の溶出量が多くなったり、降雨量が多い場合には肥料が流出してしまうなどの問題点を有していた。
【０００６】
さらに、上記従来の害虫防除材では、粘着フィルム４２をアコーディオン構成としているため、不用意に伸縮してしまうので取り扱い難いものとなり、その設置場所にも制限を受けるという問題点を有していた。また、設置場所において風に煽られるなどすると、粘着フィルム４２が栽培している植物の葉などに引っ付いてしまって、剥がすことができなくなったり、剥がすことができても植物の葉などを傷つけることがあるという問題点を有していた。
【０００７】
そこで、この発明は、上記従来の課題を解決するものであり、害虫防除機能を有したものとすると共に、施肥状態において降雨にあっても肥料の溶出量が多くなることなく、降雨量が多い場合にも肥料が流出してしまうことなく、設置場所にも制限を受けることなく、また植物の葉などに引っ付いてしまうようなことはなく、植物の葉などを傷つけることのない農園芸用資材を提供することを目的としてなされたものである。
【０００８】
【課題を解決するための手段】
そのため、この発明の農園芸用資材は、本体１の栽培手段２から露出した部分に害虫防除手段３を設けたものとしている。
【０００９】
さらに、この発明の農園芸用資材は、前記本体１に、栽培手段２への設置手段４を設けたものとしている。
【００１０】
さらに、この発明の農園芸用資材は、前記本体１が、水、水保持材、肥料、薬剤より選ばれる少なくとも一種を栽培手段２に供給できるようにしたものとしている。
【００１１】
さらに、この発明の農園芸用資材は、前記本体１が、管状体、筒状体、板状体、ネット状体、シート状体の何れかからなるものとしている。
【００１２】
さらに、この発明の農園芸用資材は、前記肥料が、固形状または液状の肥料であるものとしている。
【００１３】
さらに、この発明の農園芸用資材は、前記薬剤が、土壌殺菌剤、植物成長調整剤、除草剤、根茎調節剤、土壌生物防除剤、誘引剤、殺虫剤、有害生物忌避剤、昆虫成長調整剤より選ばれる少なくとも一種であるものとしている。
【００１４】
さらに、この発明の農園芸用資材は、前記栽培手段２が、田畑、庭地、プランター、鉢の何れかであるものとしている。
【００１５】
さらに、この発明の農園芸用資材は、前記害虫防除手段３が、粘着捕獲層であるものとしている。
【００１６】
さらに、この発明の農園芸用資材は、前記害虫防除手段３が、設置手段４を兼用したものとしている。
【００１７】
さらに、この発明の農園芸用資材は、前記設置手段４が、本体１の一部を利用したものとしている。
【００１８】
さらに、この発明の農園芸用資材は、前記設置手段４が、本体１に設けた差込部２２、貼付部２３、起立部２４、吊り下げ部２５、挟み部２６の何れかであるものとしている。
【００１９】
【発明の実施の形態】
以下、この発明の農園芸用資材を実施の形態に基づいて詳細に説明する。
【００２０】
この発明の農園芸用資材は、水、水保持材、肥料、薬剤より選ばれる少なくとも一種を、本体１から栽培手段２に供給できるようにし、栽培手段２から露出した部分に害虫防除手段３を設けたものとしている。
【００２１】
この発明の農園芸用資材において、前記肥料は、栽培植物の生長に必要な栄養分であれば、特に種類、成分などは限定されることはないが、固形状または液状の肥料とすることができる。
【００２２】
この発明の農園芸用資材において、前記薬剤は、土壌殺菌剤、植物成長調整剤、除草剤、根茎調節剤、土壌生物防除剤、誘引剤、殺虫剤、有害生物忌避剤、昆虫成長調整剤より選ばれる少なくとも一種であるものとしており、固形状または液状の薬剤とすることができる。
【００２３】
この発明の農園芸用資材において、前記本体１は、厚紙、木材、合成樹脂材などからなるものとしており、管状体、筒状体、板状体、ネット状体、シート状体などとすることができる。さらに、前記本体１には、栽培手段２に設置した場合に、この栽培手段２へ設置し易くするための設置手段４を設けたものとすることができる。前記栽培手段２は、田畑、庭地、プランター、鉢などとすることができる。さらに、前記設置手段４としては、本体１と別部材としたものは勿論、本体１の一部を利用したもの、すなわち本体１の下端を尖らせたものとし、栽培手段２に差し込み易くしたものとしたり、本体１の一部を打ち出して、その打ち出し片を支えにしたものなどとすることができる。
【００２４】
この発明の農園芸用資材において、前記害虫防除手段３は、粘着捕獲層とすることができる。そして、この粘着捕獲層には、必要に応じて、誘引剤、殺虫剤、昆虫成長調整剤、紫外線防止剤、着色剤、安定剤などの機能性物質を混ぜ合わせたものとすることができる。
【００２５】
図１に示したこの発明の農園芸用資材は、本体１を合成樹脂材からなる円筒状の容器１１とし、切り離し可能とした連結部１２を介して、複数個、並列に連結したものとしている。中央の容器１１は、他の容器１１より大容量にしており、水または液状の薬剤や肥料などを収容し、栽培手段２に差し込むなどして設置した場合に、容器１１の下部に設けた注入口（図示せず）から徐々に栽培手段２の土中などに注入されるようにして、その収容物を本体１から栽培手段２に供給できるようにしている。中央以外の容器１１には、固形状の肥料や薬剤などを収容したものとしており、栽培手段２に差し込むなどして設置した場合に、容器１ａの下部に設けた開口（図示せず）から徐々に栽培手段２の土中などに吸収されるようにして、その収容物を本体１から栽培手段２に供給できるようにしている。さらに、これら中央以外の容器１１の側周部には粘着捕獲層とした害虫防除手段３が設けられているが、必要に応じて中央の容器１１の側周部にも害虫防除手段３を設けることができる。また、前記中央以外の容器１１は、連結部１２から一個ずつ、または複数個ずつ切り離して使用することもできる。例えば、栽培手段２が植木鉢である場合には、その切り離した容器１１を植木鉢の植物の周囲に差し込むなどして使用することができる。なお、前記中央以外の容器１１に収容する肥料や薬剤などは、それぞれ同種のものであっても、異種のものであってもよい。
【００２６】
図２に示したこの発明の農園芸用資材は、本体１を合成樹脂材からなる円筒状の容器１１とし、切り離し可能とした連結部１２を介して、複数個、並列に連結したものとしている。複数個、並列に連結した容器１１は、すべて同容量にしており、水保持材、固形状の肥料や薬剤などを収容し、栽培手段２に差し込むなどして設置した場合に、容器１１の下部に設けた開口（図示せず）から徐々に栽培手段２の土中に吸収されるようにして、その収容物を本体１から栽培手段２に供給できるようにしている。さらに、これらの容器１１の側周部には、粘着捕獲層とした害虫防除手段３が設けられている。また、これらの容器１１は、連結部１２から一個ずつ、または複数個ずつ切り離し、図１に示したものと同様にして使用することもできる。なお、前記容器１１に収容する水保持材、肥料や薬剤などは、それぞれ同種のものであっても、異種のものであってもよい。
【００２７】
図３に示したこの発明の農園芸用資材は、本体１を合成樹脂材からなる筒状の支持体１３とし、この支持体１３の中心部には棒状とした固形肥料Ｆがその下端を本体１の下部から突出させて収容され、この固形肥料Ｆと支持体１３の間には誘引剤などの固形状の薬剤Ｄが収容されている。そして、この本体１を栽培手段２に差し込むなどして設置した場合に、前記固形肥料Ｆは、その下端から栽培手段２の土中などに徐々に吸収されるようにして、本体１から栽培手段２に供給できるようにしている。さらに、この支持体１３の側周部には、粘着捕獲層とした害虫防除手段３が設けられている。また、前記薬剤Ｄが誘引剤である場合には、この誘引剤は害虫を誘引するために本体１の上部から揮散するようにし、粘着捕獲層とした害虫防除手段３に害虫が粘着捕獲され易いようにしている。
【００２８】
図４に示したこの発明の農園芸用資材は、本体１を合成樹脂材からなる円筒状の支持体１３とし、この支持体１３の上部には誘引剤などの薬剤Ｄが収容され、支持体１３の下部には固形肥料Ｆが収容されている。そして、この本体１を栽培手段２に差し込むなどして設置した場合に、前記固形肥料Ｆは、本体１の下部口（図示せず）から栽培手段２の土中などに徐々に吸収されるようにして、本体１から栽培手段２に供給できるようにしている。さらに、この支持体１３の側周部には、粘着捕獲層とした害虫防除手段３が設けられている。また、薬剤Ｄが誘引剤である場合には、害虫を誘引するために本体１の上部口１４から揮散するようにし、粘着捕獲層とした害虫防除手段３に害虫が粘着捕獲され易いようにしている。
【００２９】
図５に示したこの発明の農園芸用資材は、本体１を合成樹脂材からなる円筒状のホルダー１５としており、このホルダー１５に棒状の固形肥料Ｆを保持したものとしている。そして、この固形肥料Ｆは、栽培手段２に埋めることにより栽培手段２に設置し、栽培手段２の土中などに徐々に吸収されるようにして、本体１から栽培手段２に供給できるようにしている。さらに、ホルダー１５には、連結部１２を介して切り離し可能として、並列に連結した板状体１６の表裏面に、粘着捕獲層とした害虫防除手段３を設けたものとしている。この板状体１６に設けた害虫防除手段３は、切り目１６ａから一個ずつ、または複数個ずつ切り離し、図１に示したものと同様にして使用することができる。
【００３０】
図６に示したこの発明の農園芸用資材は、本体１を合成樹脂材からなる円筒状の容器１１としており、この容器１１の内部に液体肥料を収容したものとしている。そして、この本体１を栽培手段２に設置した場合に、前記液体肥料は、容器１１の下部に設けた滴下口（図示せず）から滴下させ、栽培手段２の土中などに徐々に浸透していくようにして、本体１から栽培手段２に供給できるようにしている。さらに、容器１１には、連結部１２を介して切り離し可能として、並列に連結した板状体１６の表裏面に、粘着捕獲層とした害虫防除手段３を設けたものとしている。この板状体１６に設けた害虫防除手段３も、図５に示したものと同様に構成されており、図１に示したものと同様にして使用することができる。
【００３１】
図７に示したこの発明の農園芸用資材は、本体１を合成樹脂材からなる円筒状の支持体１３とし、多数の孔を開けるなどしてこの支持体の側周部をメッシュ状としており、支持体１３の内部には固形肥料Ｆを収容したものとしている。そして、この固形肥料Ｆは、支持体１３の下端を栽培手段２に埋めることにより栽培手段２に設置し、栽培手段３の土中などに徐々に吸収されるようにして、本体１から栽培手段２に供給できるようにしている。さらに、支持体１３の上下部を除いた側周部には、粘着捕獲層とした害虫防除手段３を設けたものとしている。また、前記支持体１３の上下側周部には害虫防除手段３を設けたものとせず、この部分を把持部１７とし、手などに粘着しないものとして、本体１を持ち易くしている。
【００３２】
図８に示したこの発明の農園芸用資材は、本体１を合成樹脂フィルムからなる円筒状のパック型支持体１３としており、この支持体１３の内部に液状または固形の肥料や薬剤を収容したものとしている。そして、この支持体１３の収容物は、支持体１３の下端を栽培手段２に埋めることにより栽培手段２に設置し、栽培手段２の土中などに徐々に吸収されるようにして、本体１から栽培手段２に供給できるようにしている。さらに、支持体１３の下部には差し込み用の補強カバー１８を被せ、支持体１３の上部を除いた側周部には、粘着捕獲層とした害虫防除手段３を設けたものとしている。また、前記支持体の上側周部には害虫防除手段３を設けたものとせず、この部分を把持部１７とし、手などに粘着しないものとして、本体１を持ち易くしている。
【００３３】
図９に示したこの発明の農園芸用資材は、本体１を合成樹脂材からなる円筒状の容器１１としており、この容器１１の内部に液体の肥料や薬剤を収容したものとしている。さらに、この容器１１の側周部には、粘着捕獲層とした害虫防除手段３を設けたものとしている。また、容器１１の下部には、細管状とした差込ノズル兼把持部１９を設けており、この部分を把持し、手などに粘着しないものとして、本体１を持ち易くしている。そして、この容器１１の収容物は、前記差込ノズル兼把持部１９を栽培手段２に差し込むことにより栽培手段２に設置し、先端に設けた開口部（図示せず）から栽培手段２の土中などに徐々に吸収されるようにして、本体１から栽培手段２に供給できるようにしている。
【００３４】
図１０に示したこの発明の農園芸用資材は、本体１を合成樹脂材からなる円筒状の容器１１としており、この容器１１の下半部の側周部に複数の供給孔２０を設けたものとし、容器１１の内部には固形の肥料や薬剤を収容したものとしている。さらに、容器１１の上半部の側周部には、粘着捕獲層とした害虫防除手段３を設けたものとしている。また、容器１１の下部は、円錐形状にして尖らせた差込部２２として、この部分を設置手段４としたものとしており、この設置手段４により栽培手段２に差し込み易くし、本体１を栽培手段２へ設置し易いようにしている。そして、本体１を栽培手段２に設置した場合に、前記収容物は、下半部に設けた複数の供給孔２０から栽培手段２の土中などに徐々に吸収されるようにして、本体１から栽培手段２に供給できるようにしている。なお、容器１１の側周部に剥離可能とした密封シール２１を貼り付けておき、本体１を持ち易くしたり、容器１１の収容物が供給孔２０から出ないようにしている。
【００３５】
図１１に示したこの発明の農園芸用資材は、本体１を合成樹脂材からなる円筒状の容器１１としており、この容器１１の内部に液状または固形の肥料や薬剤を収容したものとしている。さらに、容器１１の上部を除いた側周部には、粘着捕獲層とした害虫防除手段３を設けたものとしている。前記容器１１の上側周部には害虫防除手段３を設けたものとせず、この部分を把持部１７とし、手などに粘着しないものとして、本体１を持ち易くしている。また、容器１１の下部の側周部には、縦方向に形成した溝に粘着剤などを装填した貼付部２３として、この部分を設置手段４としたものとしており、この設置手段４を、例えば栽培手段２である植木鉢の内側面などへ貼着させることにより、本体１を栽培手段２へ設置し易くしている。そして、本体１を栽培手段２に設置した場合に、前記収容物は、容器１１の下端を栽培手段２に接触させて、先端に設けた開口部（図示せず）から栽培手段２の土中などに徐々に吸収されるようにして、本体１から栽培手段２に供給できるようにしている。
【００３６】
図１２に示したこの発明の農園芸用資材は、本体１を合成樹脂材からなる円筒状の容器１１としており、この容器１１の内部に液状または固形の肥料や薬剤を収容したものとしている。さらに、容器１１の下部を除いた側周部には、粘着捕獲層とした害虫防除手段３を設けたものとしている。前記容器１１の下側周部には害虫防除手段３を設けたものとせず、この部分を把持部１７とし、手などに粘着しないものとして、本体１を持ち易くしている。また、容器１１の下部は、円錐形状にして尖らせた差込部２２として、この部分を設置手段４としたものとしており、この設置手段４により栽培手段２に差し込み易くし、本体１を栽培手段２へ設置し易くしている。そして、本体１を栽培手段２に設置した場合に、前記容器１１の収容物は、先端に設けた開口部（図示せず）から栽培手段２の土中などに徐々に吸収されるようにして、本体１から栽培手段２に供給できるようにしている。
【００３７】
図１３に示したこの発明の農園芸用資材は、本体１を合成樹脂材からなる円筒状の容器１１としており、この容器１１の内部に液状または固形の肥料や薬剤を収容したものとしている。さらに、容器１１の上部を除いた側周部には、粘着捕獲層とした害虫防除手段３を設けたものとしている。前記容器１１の上側周部には、害虫防除手段３を設けたものとせず、この部分を把持部１７とし、手などに粘着しないものとして、本体１を持ち易くしている。また、容器１１の下部には、容器１１の周囲に張り出させた支持脚などの起立部２４とした設置手段４を設けたものとしており、この設置手段４を、例えば栽培手段２である庭地の土表面に支持させることにより、本体１を栽培手段２へ設置し易くしている。そして、本体１を栽培手段２に設置した場合に、前記収容物は、容器１１の下端を栽培手段２に接触させて、先端に設けた開口部（図示せず）から栽培手段２の土中などに徐々に吸収されるようにして、本体１から栽培手段２に供給できるようにしている。なお、図示した支持脚２４は、容器１１とは別部材として取り付けたものとしているが、容器１１の一部を打ち出して、その打ち出し片を支持脚にすることもできる。
【００３８】
図１４に示したこの発明の農園芸用資材は、本体１を合成樹脂材からなる円筒状の容器１１としており、この容器１１の内部には液状または固形の肥料や薬剤を収容したものとしている。さらに、容器１１の下部を除いた側周部には、粘着捕獲層とした害虫防除手段３を設けたものとしている。また、容器１１の上部には、吊り紐などの吊り下げ部２５とした設置手段４を設けたものとしており、この設置手段４を、例えば栽培手段２である植木鉢に設置した植木用支持棒など吊るすことにより、本体１を栽培手段２へ設置し易くしている。そして、本体１を栽培手段２に設置した場合に、前記容器１１の収容物は、その容器１１の下部に設けた滴下口（図示せず）から滴下させ、栽培手段２の土中などに徐々に吸収されるようにして、本体１から栽培手段２に供給できるようにしている。なお、前記容器１１の下側周部には、害虫防除手段３を設けたものとせず、この部分を把持部１７とし、手などに粘着しないものとして、本体１を持ち易くしているが、前記吊り紐２５とした設置手段４を手で持つようにして、本体１を持ち易くしてもよい。
【００３９】
図１５に示したこの発明の農園芸用資材は、本体１を合成樹脂材からなる円筒状の容器１１としており、この容器１１の内部に液状または固形の肥料や薬剤を収容したものとしている。さらに、容器１１の上部を除いた側周部には、粘着捕獲層とした害虫防除手段３を設けたものとしている。前記容器１１の上側周部には害虫防除手段３を設けたものとせず、この部分を把持部１７とし、手などに粘着しないものとして、本体１を持ち易くしている。また、容器１１の下部の側周部には、一個所または複数個所を縦方向に切り欠いた溝などの挟み部２６とした設置手段４を設けたものとしており、この設置手段４を、例えば栽培手段２である植木鉢の側部などへ挟み込むことにより、本体１を栽培手段２へ設置し易くしている。そのため、本体１を栽培手段２に設置した場合には、害虫防除手段３の一部が隠れてしまうことがないので、害虫防除効果も阻害されることがなく、前記収容物は、容器１１の下端を栽培手段２に接触させて、先端に設けた開口部（図示せず）から栽培手段２の土中などに徐々に吸収されるようにして、本体１から栽培手段２に供給できるようにしている。
【００４０】
なお、この発明の農園芸用資材は、何れの実施形態においても、害虫防除手段３を粘着捕獲層とした場合には、この粘着捕獲層をプランター、鉢などとした栽培手段２の内側面などに貼着させることにより、栽培手段２に設置することができるので、害虫防除手段３が設置手段４を兼用したものとすることもできる。
【００４１】
【発明の効果】
この発明の農園芸用資材は、以上に述べたように構成されているので、害虫防除機能を有したものとなり、施肥状態において降雨にあっても肥料の溶出量が多くなることなく、降雨量が多い場合にも肥料が流出してしまうことなく、設置場所にも制限を受けることなく、また植物の葉などに引っ付いてしまうようなことはなく、植物の葉などを傷つけることのないものとなった。
【図面の簡単な説明】
【図１】この発明の農園芸用資材の第１実施形態を示す一部断面斜視図である。
【図２】この発明の農園芸用資材の第２実施形態を示す一部断面斜視図である。
【図３】この発明の農園芸用資材の第３実施形態を示す一部断面斜視図である。
【図４】この発明の農園芸用資材の第４実施形態を示す一部断面斜視図である。
【図５】この発明の農園芸用資材の第５実施形態を示す斜視図である。
【図６】この発明の農園芸用資材の第５実施形態の変形例を示す一部断面斜視図である。
【図７】この発明の農園芸用資材の第６実施形態を示す斜視図である。
【図８】この発明の農園芸用資材の第７実施形態を示す一部断面斜視図である。
【図９】この発明の農園芸用資材の第８実施形態を示す一部断面斜視図である。
【図１０】この発明の農園芸用資材の第９実施形態を示す斜視図である。
【図１１】この発明の農園芸用資材の第１０実施形態を示す斜視図である。
【図１２】この発明の農園芸用資材の第１０実施形態の変形例を示す斜視図である。
【図１３】この発明の農園芸用資材の第１０実施形態の変形例を示す斜視図である。
【図１４】この発明の農園芸用資材の第１０実施形態の変形例を示す斜視図である。
【図１５】この発明の農園芸用資材の第１０実施形態の変形例を示す斜視図である。
【図１６】従来の農園芸用資材の一例を示す斜視図である。
【図１７】従来の害虫防除材の一例を示す斜視図である。
【符号の説明】
１  本体
２  栽培手段
３  害虫防除手段
４  設置手段
２２  差込部
２３  貼付部
２４  起立部
２５  吊り下げ部
２６  挟み部
【図１】
2004275010.tif 000003
【図２】
2004275010.tif 000004
【図３】
2004275010.tif 000005
【図４】
2004275010.tif 000006
【図５】
2004275010.tif 000007
【図６】
2004275010.tif 000008
【図７】
2004275010.tif 000009
【図８】
2004275010.tif 000010
【図９】
2004275010.tif 000011
【図１０】
2004275010.tif 000012
【図１１】
2004275010.tif 000013
【図１２】
2004275010.tif 000014
【図１３】
2004275010.tif 000015
【図１４】
2004275010.tif 000016
【図１５】
2004275010.tif 000017
【図１６】
2004275010.tif 000018
【図１７】
2004275010.tif 000019